(57)【要約】【課題】天井面に固定された丸型引掛シーリング等の各種配線器具に、人感センサを用いた照明装置を取付ける場合、天井近くの高所作業で、しかも照明装置本体が死角となり取付け作業が難しい。又人感センサが嵌合位置で固定されてしまい、任意の位置に係止出来ない点である。【解決手段】  照明装置本体の引掛シーリングの栓刃が位置決めガイドにより、丸型引掛シーリング等の各種配線器具の刃受に簡単に嵌合可能とする。照明装置本体を強く右回転することにより、人感センサを任意の位置に係止し、更に人感センサの設置角度を調整するための機構を設けることにより、人感センサの感知エリアを任意の角度に調整可能とする。これにより極めて効果的な人感センサを用いた照明装置を提供する。角型引掛シーリングおよび引掛ローゼットに対しては、アダプタを用いることにより、丸型引掛シーリングと同様、簡単に嵌合可能する。【選択図】図１
2005251600.tif 000002
【特許請求の範囲】
【請求項１】
天井面に固定された丸型引掛シーリング、丸型フル引掛シーリングおよびフル引掛ローゼットに対して、本体に引掛シーリング刃受、本体内部に引掛シーリング栓刃、位置決めガイド、回転擦動する接点機構および回路基板を収納し、本体から離間して人感センサを設け、更に人感センサの設置角度を調整する機構を備える。これにより本体の引掛シーリング栓刃が位置決めガイドにより、上記丸型引掛シーリング、丸型フル引掛シーリングおよびフル引掛ローゼットの刃受に簡単に位置決めと嵌合を可能とし、本体を強く右回転することにより人感センサを任意の位置に係止し、更に人感センサの設置角度を調整することにより、人感センサの感知エリアを任意の角度に調整可能な人感センサを用いた照明装置。
【請求項２】
請求項１記載の本体の引掛シーリング栓刃が天井面に固定された角型引掛シーリング刃受に簡単に位置決めと嵌合を可能とするために、本体の位置決めガイドに取付けて、角型引掛シーリングに対する位置決めガイドおよび本体の引掛シーリング栓刃と角型引掛シーリング刃受口溝の突合と嵌合を可能とする、瓢箪形の孔を持つアダプタA、又は天井面に固定された引掛埋込ローゼットおよび引掛露出ローゼットの刃受に簡単に位置決めと嵌合を可能とするために、引掛埋込ローゼットおよび引掛露出ローゼットに取付けるアダプタB。
【請求項３】
本体の引掛シーリング刃受に替わり、白熱電球の口金を螺合して電気的に接続するための口金受けが、本体に収納されている請求項１記載の人感センサを用いた照明装置。
【発明の詳細な説明】
【技術分野】
【０００１】
本発明は、天井面に固定された丸型引掛シーリング、丸型フル引掛シーリング、フル引掛ローゼット、角型引掛シーリング、引掛埋込ローゼットおよび引掛露出ローゼットからなる各種配線器具に、簡単に嵌合可能で、しかも人感センサを任意の位置に係止し、人感センサの感知エリアを任意の角度に調整可能とする人感センサを用いた照明装置に関するものである。
【背景技術】
【０００２】
従来から、人感センサを用いた照明装置があり、この照明装置の一例を図８に示すと、天井面に設置される引掛ローゼット４、引掛シーリング式照明器具５（従来例では引掛シーリングローゼットと記述）および引掛ローゼット４と引掛シーリング式照明器具５との間に電気的に介在して装着されるアダプタ１−２があり、アダプタ１−２の本体側壁に連結された金属パイプ、又はフレキシブルな電線の先に検知部６−１を取付けて、必要な電気配線を行うものが提案されている。この提案では、引掛ローゼット４にアダプタ１−２を取付ける際は，アダプタ１−２の形状から死角が発生しないため、目視で作業が出来る。又検知部６−１による検知エリアの調整のために、アダプタ１−２と検知部６−１を約４０センチメートルの金属パイプ又はフレキシブルな電線で離間し、さらに金属パイプでは、検知部６−１の設置角度を調整するための機構を設けている。フレキシブルな電線では、フレキシブルな電線ゆえに設置角度を調整することが出来るとしている。（特開平８−１８０９７５号）
【特許文献１】特開平８−１８０９７５号
【特許文献２】特願２００３−３４５２３６号
【特許文献３】特願２００３−３６５７７６号
【特許文献４】特願２００３−３６５８２１号
【発明の開示】
【発明が解決しようとする課題】
【０００３】
解決しようとする問題点は、天井面に固定された各種配線器具に、人感センサを用いた照明装置を取付ける場合、天井近くの高所作業で、しかも本体が死角となって嵌合作業が難しく、特に角型引掛シーリングでは、不完全な嵌合状態のままで本体を回転させて、角型引掛シーリングを破損させる恐れがある。又人感センサの係止位置が嵌合位置で固定されて、任意の位置に係止出来ない点である。
【課題を解決するための手段】
【０００４】
本発明は、天井面に固定された丸型引掛シーリング、丸型フル引掛シーリングおよびフル引掛ローゼットに人感センサを用いた照明装置を取付ける場合、本体の引掛シーリング栓刃が位置決めガイドにより、上記配線器具の刃受に簡単に位置決めと嵌合を可能とする。本体を強く右回転することにより、人感センサを任意の位置に係止し、更に感知エリアを任意の角度に調整可能とする。角型引掛シーリング、引掛埋込ローゼットおよび引掛露出ローゼットに対しては、アダプタを用いることにより、簡単に位置決めと嵌合を可能とすることを特徴とする。
【発明の効果】
【０００５】
本発明の人感センサを用いた照明装置は、天井面に固定された各種配線器具との嵌合と、人感センサの任意の位置への係止、および人感センサの感知エリアを任意の角度に調整可能とするため、極めて効果的な利用に貢献する。
【発明を実施するための最良の形態】
【０００６】
天井面に固定された丸型引掛シーリング、丸型フル引掛シーリングおよびフル引掛ローゼットの刃受と照明装置本体の引掛シーリング栓刃は、死角に対応するための位置決めガイドにより、簡単に位置決め後嵌合する。回転擦動する接点機構により、本体を強く右回転することにより、人感センサを任意の位置に係止する。更に人感センサの設置角度を調整する機構により、人感センサの感知エリアを任意の角度に調整可能とする。また、角型引掛シーリングに対しては、本体の位置決めガイドに取付けるアダプタAにより、引掛埋込ローゼットおよび引掛露出ローゼットに対しては、ローゼットに取付けるアダプタBにより、丸型引掛シーリングと同様、簡単に位置決めと嵌合を可能とすることを特徴とする。
【実施例１】
【０００７】
図１は、本発明の人感センサを用いた照明装置の１実施例であり、天井面に設置される丸型引掛シーリング２、引掛シーリング式照明器具５および丸型引掛シーリング２と引掛シーリング式照明器具５との間に電気的に介在して装着される本体１の分解斜視図であり、図２は本体１のA―A線断面図とa.可動接点斜視図である。
【０００８】
丸型引掛シーリング２に本体１を取付け時に本体１が死角となり、丸型引掛シーリング２を見通すことが出来ない。このため本体１の引掛シーリング栓刃７を取付ける円形の台座８に、丸型引掛シーリング２の外径と整合する円筒状の上方に開口した位置決めガイド９を設ける。この位置決めガイド９内に丸型引掛シーリング２を納めることにより、本体１と丸型引掛シーリング２の位置決めを簡単に行うことが出来る。それから本体１を軽く天井面に押しながら回転させ、回転により引掛シーリング栓刃７と丸型引掛シーリング２の刃受１０の刃受口溝１０−１が突合すると、本体１は引掛シーリング栓刃７の高さ分だけ押し上げられ、そこから更に右回転させると栓刃７は刃受１０の給電用溝部１０−２に移動し嵌合する。（嵌合トルク２N・ｍ以下）取外しは本体１を左回転して行う。（取外しトルク０．５N・ｍ以上）
【０００９】
人感センサ６は、白熱電球（図示せず）からの発熱の影響を避けるために、本体１から離間した位置に設置する。また、引掛シーリング式照明器具５が人感センサ６の感知エリアの死角となるのを避けるために、人感センサ６を任意の位置に係止する必要があり、そのために回転擦動するリング状の接点機構１１を、本体側の固定接点１１−１と引掛シーリング台座８側の可動接点１１−２間で設ける。図２.aに可動接点１１−２の斜視図を示す。接点バネ１１−３で固定接点１１−１と圧着しながら回転擦動する。人感センサ６の係止は、本体１を嵌合位置から強く右回転させることにより行う。回転擦動トルクは、嵌合トルクより強い回転トルク、例えば４N・ｍ以上とし、中心軸ボルト１２とネジ１２−１で調整し固定する。更に人感センサ６の取付け部に回転部１３とあおり部１４からなる機構を設け、人感センサ６の設置角度を調整する。これにより人感センサの感知エリアを設置環境に応じた最適の角度に調整する。本体１と引掛シーリング式照明器具５は、本体１の刃受１６と引掛シーリング式照明器具５の栓刃２０で嵌合する。又人感センサ６付近に表示ランプや照度センサを配置する。（図示せず）
【００１０】
図３は、本体１の電気系統図、図３.bは回路基板ブロック図である。商用電源の入力は、一対の引掛シーリング栓刃７の一方を中心軸ボルト１２の片端１２−２に、他方を可動接点１１−２に接続し、中心軸ボルト１２の反対側の片端１２−３および固定接点１１−１から回路基板１５の商用電源入力端子T1に接続する。照明負荷への出力は、中心軸ボルト１２の反対側の片端１２−３および回路基板１５の出力端子T２を一対の刃受１６に接続する。
【００１１】
回路基板１５の電源部１５−１は、商用電源を整流し安定化した直流定電圧を、電源断時に、速やかに電圧降下する電源と、緩やかに電圧降下する電源の２系統で出力する。モード設定切換制御部１５−２は、短時間タイマモードと長時間タイマモードの初期モード設定と、壁スイッチ「断・接」操作時に２系統の電源の電位差を利用したモード切換および長時間タイマモード時限満了時の自動切換を行い、照明制御部１５−３に指示する。照明制御部１５−３は、人感センサ６と連携して短時間タイマおよび長時間タイマを設定し、開閉部１５−４に対して照明負荷の点灯消灯を指示する。開閉部１５−４は、照明制御部１５−３からの指示により、照明負荷の点灯消灯を制御する。
【００１２】
本回路基板ブロック図は、特願２００３−３４５２３６号の換気扇非連動の実施例、特願２００３−３６５７７６号の実施例、および特願２００３−３６５８２１号の照明負荷出力端子１個付きの実施例について適応可能であり、特願２００３−３４５２３６号の換気扇連動の実施例は、開閉部１５−４に換気扇負荷出力端子T３および接続紐出力端子T４を別途設けて、外部に必要な配線を行う。（図示せず）又特願２００３−３６５８２１号の照明負荷出力端子２個の実施例は、本体１と照明器具５が一体であることを想定しており内部で必要な配線を行う。（図示せず）尚本実施例は、丸型フル引掛シーリングおよびフル引掛ローゼットに対しても適用する。
【実施例２】
【００１３】
図４は、天井面に設置される角型引掛シーリング３とアダプタAおよび本体１の位置決めガイド９関連の分解斜視図である。図５は、アダプタAの正面図およびｃ.正面図のB―B線断面図である。アダプタAは、角型引掛シーリング３の外径が丸型引掛シーリング２の外径より約１０ミリメートル小さいことに着目し、本体１と角型引掛シーリング３に介在し両者間の位置決めと、本体１の栓刃７と角型引掛シーリング３の刃受口溝１０−１の突合を行う。アダプタAの位置決めガイド１７は円筒状の上方に開口した形状とし、位置決めガイド１７の外径は、本体１の位置決めガイド９の内径と整合し、位置決めガイド１７の内径は、角型引掛シーリング３の外径と整合する。
【００１４】
アダプタAの底部には、角型引掛シーリング３の外周形状とほぼ同形状の孔を所定回転角度、つまり一対の栓刃７を角型引掛シーリング３に嵌合するための回転角度分だけ回動させた回動軌跡で得られる瓢箪形の孔１８を設け、更に孔１８の上面１８−１と栓刃７の頂点を同一平面上に配置し、本体１のスムーズな回転を補償する。アダプタAの本体１への装着位置は、本体１の一対の栓刃７とアダプタAの回動前の瓢箪形の孔１８で角型引掛シーリング３の刃受口溝１０−１とが合致する位置とし、この位置を確定するために、本体１の位置決めガイド９に凹部９−１を設け、アダプタAの外周部に凸部１７−１を設ける。アダプタAを本体１に装着するには、アダプタAの凸部１７−１を、本体１の凹部９−１に挿入する。なお、アダプタAの逆挿入を防止するために、凸部１７−１に傘部１７−２を設ける。
【００１５】
本体１を角型引掛シーリング３に嵌合するには、本体１に装着したアダプタAの位置決めガイド１７内に角型引掛シーリング３を納め、本体１を軽く天井面に押しながら回転させ、引掛シーリング栓刃７と角型引掛シーリング３の刃受口溝１０−１が突合すると本体１は引掛シーリング栓刃７の高さ分だけ押し上げられ、栓刃７と刃受１０の位置決め完了となる。それから更に右回転させると栓刃７は給電用溝部１０−２に移動し嵌合する。
【００１６】
図６は、天井面に固定された引掛埋込ローゼット４とアダプタBの分解斜視図である。アダプタBは、丸型引掛シーリング２の商用電源接続端子に替えて一対の栓刃１９を取付けたものと同形状であり、先にアダプタBを引掛ローゼット４に嵌合して用いることにより、実施例１と同様な操作で本体１の嵌合、取外しを簡単に可能とする。尚本実施例は、引掛露出ローゼットに対しても適用する。アダプタBは、角型引掛シーリング３と同等な形状で作成することも可能であり、この場合はアダプタAを併用する。（図示せず）
【実施例３】
【００１７】
図７は、本体１の引掛シーリング刃受１６に替わり、白熱電球を装着するための口金受け付き本体１の斜視図である。実施例１の引掛シーリング式照明器具５の栓刃２０と本体１の刃受１６を省略し直接配線することにより、本体１と引掛シーリング式照明器具５を一体化したものである。別途白熱電球を取付けることにより利用可能とする。
【産業上の利用可能性】
【００１８】
本人感センサを用いた照明装置は、天井面に固定された各種配線器具への取付けに際して、高所作業で死角があるにも関わらず、安全・簡単に嵌合し、人感センサを任意の位置で係止し、更に人感センサの設置角度を調整することにより、人感センサの感知エリアを任意の角度で調整可能とする照明装置として有効に利用出来る。
【図面の簡単な説明】
【００１９】
【図１】丸型引掛シーリング２と本体１および引掛シーリング式照明器具５の分解斜視図。（実施例１）
【図２】図１の本体１のA―A線断面図と可動接点の斜視図。（実施例１）
【図３】図１の本体１の電気系統図と回路基板ブロック図。（実施例１）
【図４】角型引掛シーリング３とアダプタAおよび本体１の位置決め用ガイド９の分解斜視図。（実施例２）
【図５】アダプタAの正面図および正面図のB―B線断面図。（実施例２）
【図６】引掛ローゼット４とアダプタBの分解斜視図。（実施例２）
【図７】口金受け付き本体１の斜視図。（実施例３）
【図８】引掛埋込ローゼット２とアダプタ１−２および引掛シーリング式照明器具５の分解斜視図。（従来例）
【符号の説明】
【００２０】
１    本体１
２    丸型引掛シーリング
３    角型引掛シーリング
４    引掛埋込ローゼット
５    引掛シーリング式照明器具
６    人感センサ
９    位置決めガイド
１１  接点機構
１３  回転機構
１４  あおり機構
１５  回路基板
１７  アダプタAの位置決めガイド
１８  アダプタAの瓢箪形をした孔
【図１】
2005251600.tif 000003
【図２】
2005251600.tif 000004
【図３】
2005251600.tif 000005
【図４】
2005251600.tif 000006
【図５】
2005251600.tif 000007
【図６】
2005251600.tif 000008
【図７】
2005251600.tif 000009
【図８】
2005251600.tif 000010